(57)【要約】容量負荷の一端の電位を、第１電源電位から第２電源電位へ、あるいはその逆に切り替えるに際に、第１電源電位と第２電源電位との所定の中間電の電位点に、所定時間だけ接続する。これにより、大きなキャパシタンスを持つ電荷蓄積用キャパシタを設けることなく、充放電時の電流を小さくして、容量負荷への電源電位の変動を小さくするとともに、消費電力を低減する。【特許請求の範囲】
【請求項１】
複数の容量負荷の各一端に、それぞれ、第１電源電位と第２電源電位を選択的に印加する容量負荷駆動方法において、
前記容量負荷の一端に印加される電位を、第１電源電位から第２電源電位へ、或いは、第２電源電位から第１電源電位へ切り替えるに先立ち、前記容量負荷の一端を第１電源電位と第２電源電位との間の電位レベルである中間電位点に所定時間だけ接続することを特徴とする容量負荷駆動方法。
【請求項２】
所定の基準期間に対する第１、第２電源電位の印加期間をパルス幅変調方式で制御するに際して、第１、第２電源電位の印加期間を前記基準期間に対して前寄せで定めるか後寄せで定めるかにつき、少なくとも一の容量負荷については、その前寄せ制御或いは後寄せ制御を他の容量負荷のそれとは逆相とすることを特徴とする請求項１に記載の容量負荷駆動方法。
【請求項３】
隣り合う容量負荷毎に、上記した前寄せ制御或いは後寄せ制御を互いに逆相とすることを特徴とする請求項２に記載の容量負荷駆動方法。
【請求項４】
各容量負荷につき、前記前寄せ制御と後寄せ制御とを、前記基準期間の経過毎に切り替えることを特徴とする請求項３に記載の容量負荷駆動方法。
【請求項５】
前記中間電位点は、前記中間電位を生成する電源回路の出力端であることを特徴とする請求項１〜請求項４のいずれかに記載の容量負荷駆動方法。
【請求項６】
前記中間電位点は、グランド電位点であることを特徴とする請求項１〜請求項４のいずれかに記載の容量負荷駆動方法。
【請求項７】
第１電源電位を生成する第１電源回路と；第１電源電位よりも低い第２電源電位を生成する第２電源回路と；第１電源電位と第２電源電位との間の電位レベルである第３電源電位を生成する第３電源回路と；第１〜第３電源回路の各出力端と、複数の容量負荷の各一端との間に各々接続され、前記容量負荷の各一端に、それぞれ、第１〜第３電源電位のいずれか一を選択的に印加する出力部と；を有し、
前記出力部は、前記容量負荷の一端に印加される電位を、第１電源電位から第２電源電位へ、或いは、第２電源電位から第１電源電位へ切り替えるに先立ち、前記容量負荷の一端を第３電源回路の出力端に所定時間だけ接続することを特徴とする容量負荷駆動装置。
【請求項８】
所定の基準期間に対する第１、第２電源電位の印加期間をパルス幅変調方式で制御するに際して、第１、第２電源電位の印加期間を前記基準期間に対して前寄せで定めるか後寄せで定めるかにつき、少なくとも一の容量負荷については、その前寄せ制御或いは後寄せ制御を他の容量負荷のそれとは逆相とすることを特徴とする請求項７に記載の容量負
【請求項９】
正の第１電源電位を生成する第１電源回路と、負の第２電源電位を生成する第２電源回路と、第１、第２電源回路の各出力端及びグランド電位点と、複数の容量負荷の各一端との間に各々接続され、前記容量負荷の各一端に、それぞれ、第１、第２電源電位及びグランド電位のいずれか一を選択的に印加する出力部と；を有し、
前記出力部は、各々に接続される前記容量負荷の一端に印加される電位を、第１電源電位から第２電源電位へ、或いは、第２電源電位から第１電源電位へ切り替えるに先立ち、前記容量負荷の一端を前記グランド電位点に所定時間だけ接続することを特徴とする容量負荷駆動装置。
【請求項１０】
所定の基準期間に対する第１、第２電源電位の印加期間をパルス幅変調方式で制御するに際して、第１、第２電源電位の印加期間を前記基準期間に対して前寄せで定めるか後寄せで定めるかにつき、少なくとも一の容量負荷については、その前寄せ制御或いは後寄せ制御を他の容量負荷のそれとは逆相とすることを特徴とする請求項９に記載の容量負荷駆動装置。
【請求項１１】
隣り合う出力部毎に、上記した前寄せ制御或いは後寄せ制御が互いに逆相とされていることを特徴とする請求項８もしくは請求項１０のいずれかに記載の容量負荷駆動装置。
【請求項１２】
各出力部につき、上記した前寄せ制御と後寄せ制御とが、前記基準期間の経過毎に切り替えられることを特徴とする請求項１１に記載の容量負荷駆動装置。
【請求項１３】
各出力部につき、上記した前寄せ制御と後寄せ制御とが、前記基準期間の経過毎に切り替えられることを特徴とする請求項８もしくは請求項１０のいずれかに記載の容量負荷駆動装置。
【請求項１４】
第１電源電位と第２電源電位は、互いにその絶対値が等しいことを特徴とする請求項９に記載の容量負荷駆動装置。
【請求項１５】
複数の走査電極と複数の信号電極との間に、容量負荷である液晶セルを挟持する液晶表示パネルと；前記複数の走査電極を順次選択しながら走査する走査電極ドライバと；前記走査電極の走査に対応して、前記信号電極毎に所要の駆動電位を印加する信号電極ドライバと；前記走査電極への走査電極用駆動電位群を前記走査電極ドライバへ供給するとともに、前記信号電極への信号電極用駆動電位群を前記信号電極ドライバへ供給する電源装置と；を有して成る液晶表示装置であって、
前記電源装置は、前記信号電極用駆動電位群として、第１電源電位と、第１電源電位よりも低い第２電源電位と、第１電源電位と第２電源電位との間の電位レベルである第３電源電位と、を供給するものであり、また、
前記信号電極ドライバは、第１〜第３電源電位の各印加端と、複数の前記液晶セルの各一端との間に各々接続され、入力される表示データに応じて、前記液晶セルの各一端に、それぞれ、第１〜第３電源電位のいずれか一を選択的に印加する出力部を有して成るものであり、さらに、
前記出力部は、各々に接続される前記液晶セルの一端に印加される電位を、第１電源電位から第２電源電位へ、或いは、第２電源電位から第１電源電位へ切り替えるに先立ち、前記液晶セルの一端を第３電源電位の印加端に所定時間だけ接続することを特徴とする液晶表示装置。
【請求項１６】
所定の基準期間に対する第１、第２電源電位の印加期間をパルス幅変調方式で制御するに際して、第１、第２電源電位の印加期間を前記基準期間に対して前寄せで定めるか後寄せで定めるかにつき、少なくとも一の液晶セルについては、その前寄せ制御或いは後寄せ制御を他の液晶セルのそれとは逆相とすることを特徴とする請求項１５に記載の液晶表示装置。
【請求項１７】
隣り合う出力部毎に、上記した前寄せ制御或いは後寄せ制御が互いに逆相とされていることを特徴とする請求項１６に記載の液晶表示装置。
【請求項１８】
各出力部につき、上記した前寄せ制御と後寄せ制御とが、前記基準期間の経過毎に切り替えられることを特徴とする請求項１６または請求項１７に記載の液晶表示装置。
【請求項１９】
第３電源電位は、グランド電位であり、かつ、第１電源電位と第２電源電位は、その絶対値が互いに等しい正負電位であることを特徴とする請求項１６または請求項１７に記載の液晶表示装置。
【請求項２０】
第３電源電位は、グランド電位であり、かつ、第１電源電位と第２電源電位は、その絶対値が互いに等しい正負電位であることを特徴とする請求項１５に記載の液晶表示装置。
【発明の詳細な説明】
【技術分野】
【０００１】
本発明は、液晶セルなど容量負荷を異なる電位で駆動する容量負荷駆動方法、容量負荷駆動装置、及び、液晶表示装置に関するものである。
【背景技術】
【０００２】
従来から、異なる電位で駆動される容量負荷（代表的には液晶表示パネルの液晶セル）は、図１２のように構成され、図１３のようなタイミングで駆動されている。図１２において、容量負荷４０は、例えば液晶表示パネルの信号電極と走査電極とが交差する１つの点に位置する液晶セルである。この容量負荷４０は、キャパシタンスＣｓを有している。
容量負荷４０の一端には、駆動電位Ｖｓが印加され、また、他端には基準電位Ｖｃが印加される。容量負荷４０が液晶セルである場合には、駆動電位Ｖｓが信号電極に印加される信号電位に相当し、基準電位Ｖｃが走査電極に印加される走査電位に相当する。
第１電源回路１０は、第１電源電位Ｖ１を生成する手段である。第１電源回路１０の出力端は、第１スイッチ回路１２を介して容量負荷４０の一端に接続されている。第２電源回路２０は、第１電源電位Ｖ１よりも低い第２電源電位Ｖ２を生成する手段である。第２電源回路２０の出力端は、第２スイッチ回路２２を介して容量負荷４０の一端に接続されている。なお、第１、第２電源回路１０、２０は、それぞれ種々の回路構成要素を内蔵して成るが、本図では、その回路構成要素を代表してアンプ１１、２１のみを示している。
図１２において、第１スイッチ回路１２がオン状態であり、かつ、第２スイッチ回路２２がオフ状態であるときには、駆動電位Ｖｓが第１電源電位Ｖ１と等しくなるように、容量負荷４０に電荷が充電される。一方、第２スイッチ回路２２がオン状態であり、かつ、第１スイッチ回路１２がオフ状態であるときには、駆動電位Ｖｓが第２電源電位Ｖ２と等しくなるように容量負荷４０の充電電荷が放電される。
図１３に示すように、時点ｔ１において、駆動電位Ｖｓが第２電源電位Ｖ２から第１電源電位Ｖ１に変遷されるとき、第１電源回路１０には、その電位差｜Ｖ１−Ｖ２｜とキャパシタンスＣｓとに応じた電流Ｉ（∝｜Ｖ１−Ｖ２｜×Ｃｓ）が流れる。また、同様に、時点ｔ２において、駆動電位Ｖｓが第１電源電位Ｖ１から第２電源電位Ｖ２に変遷されるとき、第２電源回路２０には、その電位差｜Ｖ１−Ｖ２｜とキャパシタンスＣｓとに応じた電流Ｉが流れる。なお、上記した電流Ｉは、実際には、キャパシタンスＣｓと経路中の抵抗成分に従った時定数に応じて変化するが、その電流レベルが電位差｜Ｖ１−Ｖ２｜に比例することには変わりがない。
上記した充電時の電流Ｉ及び放電時の電流Ｉが周期Ｔ毎に流れる。そして、電流Ｉが流れる都度、その電流レベルと電流経路中の抵抗成分に応じた電位降下が発生する。このような駆動電位Ｖｓの電位降下は、液晶表示に悪影響（表示品位の低下）を及ぼす。また、電流Ｉは、第１電源回路１０及び第２電源回路２０から供給されるため、各電源回路では電流Ｉに応じた電力消費が生じることになる。
なお、本願発明に関連する従来技術としては、一本の信号電極と各走査電極とによって形成されるキャパシタのキャパシタンスに比べて十分に大きいキャパシタンスを持つ電荷蓄積用キャパシタを用意しておき、信号電極の電位を高い電位から低い電位に切り替える際には、その信号電極を一旦電荷蓄積用キャパシタに接続してから低い電位点に接続する。また、信号電極の電位を低い電位から高い電位に切り替える場合にも、その信号電極を一旦電荷蓄積用キャパシタに接続してから高い電位点に接続することを特徴とする液晶表示装置の駆動方法が開示・提案されている（例えば、特許文献１；特開２００４−９３９５１号公報を参照）。
また、本願発明に関連するその他の従来技術としては、信号電極に印加するＰＷＭ信号電圧として、前寄せＰＷＭ信号電圧と後寄せＰＷＭ信号とを選択的に供給可能とし、各信号電極に所定期間に印加される前記ＰＷＭ信号電圧を、各走査電極に関して、前記前寄せＰＷＭ信号電圧と前記後寄せＰＷＭ信号電圧とがほぼ等しい回数になるように制御することを特徴とする単純マトリクスディスプレイの表示駆動方法が開示・提案されている（例えば、本願出願人による特許文献２；特開２００４−１４５１８５号公報を参照）。
確かに、特許文献１の従来技術を用いれば、液晶表示装置を駆動する際の消費電力を低減することが可能である。しかしながら、特許文献１の従来技術では、大きなキャパシタンスを有する電荷蓄積用キャパシタを必要とするために、当該電荷蓄積用キャパシタを電源回路やスイッチ回路等と一緒にＩＣに作り込むことが困難であり、ディスクリート部品としてＩＣとは別に設けなければならなかった。そのため、特許文献１の従来技術では、装置規模の増大が招かれていた。また、上記の電荷蓄積用キャパシタを用いることに付随して、走査期間以外にダミー期間を設ける必要があり、かつ、そのダミー期間内に信号電極への駆動電位を制御しなければならなかった。
また、特許文献２の従来技術は、あくまで、単純マトリクスディスプレイをＰＷＭ制御する場合に、信号電圧の立ち上がり時（もしくは、立ち下がり時）に発生するノイズ電圧が画面表示上に与える影響を実質的になくすことを目的とするものであって、上記課題を解決する技術ではなかった。
本発明は、上記問題点に鑑み、装置規模の増大を抑えつつ、充放電時の電流を低減し、容量負荷に印加される駆動電位の変動を抑制するとともに、その消費電力を低減することが可能な容量負荷駆動方法、容量負荷駆動装置、及び、液晶表示装置を提供することを目的とする。
【発明の開示】
【０００３】
上記の目的を達成するために、本発明に係る容量負荷駆動方法は、複数の容量負荷の各一端に、それぞれ、第１電源電位と第２電源電位を選択的に印加する容量負荷駆動方法において、
前記容量負荷の一端に印加される電位を、第１電源電位から第２電源電位へ、或いは、第２電源電位から第１電源電位へ切り替えるに先立ち、前記容量負荷の一端を第１電源電位と第２電源電位との間の電位レベルである中間電位点に所定時間だけ接続することを特徴とする。
また、容量負荷駆動方法において、その所定の基準期間に対する第１、第２電源電位の印加期間をパルス幅変調方式で制御するに際して、第１、第２電源電位の印加期間を前記基準期間に対して前寄せで定めるか後寄せで定めるかにつき、少なくとも一の容量負荷については、その前寄せ制御或いは後寄せ制御を他の容量負荷のそれとは逆相とすることを特徴とする。
また、隣り合う容量負荷毎に、上記した前寄せ制御或いは後寄せ制御を互いに逆相とすることを特徴とする。
また、各容量負荷につき、前記前寄せ制御と後寄せ制御とを、前記基準期間の経過毎に切り替えることを特徴とする。
前記中間電位点は、前記中間電位を生成する電源回路の出力端であることを特徴とする。
また、前記中間電位点は、グランド電位点であることを特徴とする。
本発明に係る容量負荷駆動方法は、第１電源電位を生成する第１電源回路と；第１電源電位よりも低い第２電源電位を生成する第２電源回路と；第１電源電位と第２電源電位との間の電位レベルである第３電源電位を生成する第３電源回路と；第１〜第３電源回路の各出力端と、複数の容量負荷の各一端との間に各々接続され、前記容量負荷の各一端に、それぞれ、第１〜第３電源電位のいずれか一を選択的に印加する出力部と；を有し、
前記出力部は、前記容量負荷の一端に印加される電位を、第１電源電位から第２電源電位へ、或いは、第２電源電位から第１電源電位へ切り替えるに先立ち、前記容量負荷の一端を第３電源回路の出力端に所定時間だけ接続することを特徴とする。
また、本発明に係る容量負荷駆動方法は、正の第１電源電位を生成する第１電源回路と、負の第２電源電位を生成する第２電源回路と、第１、第２電源回路の各出力端及びグランド電位点と、複数の容量負荷の各一端との間に各々接続され、前記容量負荷の各一端に、それぞれ、第１、第２電源電位及びグランド電位のいずれか一を選択的に印加する出力部と；を有し、
前記出力部は、各々に接続される前記容量負荷の一端に印加される電位を、第１電源電位から第２電源電位へ、或いは、第２電源電位から第１電源電位へ切り替えるに先立ち、前記容量負荷の一端を前記グランド電位点に所定時間だけ接続することを特徴とする。
また、その容量負荷駆動装置において、所定の基準期間に対する第１、第２電源電位の印加期間をパルス幅変調方式で制御するに際して、第１、第２電源電位の印加期間を前記基準期間に対して前寄せで定めるか後寄せで定めるかにつき、少なくとも一の容量負荷については、その前寄せ制御或いは後寄せ制御を他の容量負荷のそれとは逆相とすることを特徴とする。
また、隣り合う出力部毎に、上記した前寄せ制御或いは後寄せ制御が互いに逆相とされていることを特徴とする。
また、各出力部につき、上記した前寄せ制御と後寄せ制御とが、前記基準期間の経過毎に切り替えられることを特徴とする。
また、第１電源電位と第２電源電位は、互いにその絶対値が等しいことを特徴とする。
本発明に係る液晶表示装置は、複数の走査電極と複数の信号電極との間に、容量負荷である液晶セルを挟持する液晶表示パネルと；前記複数の走査電極を順次選択しながら走査する走査電極ドライバと；前記走査電極の走査に対応して、前記信号電極毎に所要の駆動電位を印加する信号電極ドライバと；前記走査電極への走査電極用駆動電位群を前記走査電極ドライバへ供給するとともに、前記信号電極への信号電極用駆動電位群を前記信号電極ドライバへ供給する電源装置と；を有して成る液晶表示装置であって、
前記電源装置は、前記信号電極用駆動電位群として、第１電源電位と、第１電源電位よりも低い第２電源電位と、第１電源電位と第２電源電位との間の電位レベルである第３電源電位と、を供給するものであり、また、
前記信号電極ドライバは、第１〜第３電源電位の各印加端と、複数の前記液晶セルの各一端との間に各々接続され、入力される表示データに応じて、前記液晶セルの各一端に、それぞれ、第１〜第３電源電位のいずれか一を選択的に印加する出力部を有して成るものであり、さらに、
前記出力部は、各々に接続される前記液晶セルの一端に印加される電位を、第１電源電位から第２電源電位へ、或いは、第２電源電位から第１電源電位へ切り替えるに先立ち、前記液晶セルの一端を第３電源電位の印加端に所定時間だけ接続することを特徴とする。
また、本発明の液晶表示装置において、所定の基準期間に対する第１、第２電源電位の印加期間をパルス幅変調方式で制御するに際して、第１、第２電源電位の印加期間を前記基準期間に対して前寄せで定めるか後寄せで定めるかにつき、少なくとも一の液晶セルについては、その前寄せ制御或いは後寄せ制御を他の液晶セルのそれとは逆相とすることを特徴とする。
また、隣り合う出力部毎に、上記した前寄せ制御或いは後寄せ制御が互いに逆相とされていることを特徴とする。
また、各出力部につき、上記した前寄せ制御と後寄せ制御とが、前記基準期間の経過毎に切り替えられることを特徴とする。
また、第３電源電位は、グランド電位であり、かつ、第１電源電位と第２電源電位は、その絶対値が互いに等しい正負電位であることを特徴とする。
本発明によれば、装置規模の増大を抑えつつ、充放電時の電流を低減し、容量負荷に印加される駆動電位の変動を抑制するとともに消費電力を低減することが可能となる。
また、液晶表示装置の液晶セルを駆動するものについては、駆動電位の変動が抑制されることに伴い、その表示品位の低下を抑えることが可能となる。
【図面の簡単な説明】
【０００４】
［図１］は、本発明に係る容量負荷駆動装置の第１実施形態を示す図である。
［図２］は、図１に示す容量負荷駆動装置の動作タイミングを示す図である。
［図３］は、本発明に係る容量負荷駆動装置の第２実施形態を示す図である。
［図４］は、本発明に係る容量負荷駆動装置の第３実施形態を示す図である。
［図５］は、図４に示す容量負荷駆動装置の動作タイミングを示す図である。
［図６］は、非理想状態における駆動電位Ｖｓの挙動を説明するための図である。
［図７］は、消費電流低減化の原理を説明するための図である。
［図８］は、信号電極ドライバ２の一構成例を示す図である。
［図９］は、セグメントの一斉状態遷移時（Ｖ１→Ｖｍ）における等価回路図である。
［図１０］は、隣り合うセグメント部のＰＷＭ制御を説明するための図である。
［図１１］は、セグメントの同時状態遷移時（Ｖ１→Ｖｍ、Ｖ２→Ｖｍ）における等価回路図である。
［図１２］は、容量負荷駆動装置の一従来例を示す図である。
［図１３］は、図１２に示す容量負荷駆動装置の動作タイミングを示す図である。
【発明を実施するための最良の形態】
【０００５】
以下、本発明に係る容量負荷駆動方法、容量負荷駆動装置、及び、液晶表示装置の実施形態について詳細に説明する。
図１は、本発明に係る容量負荷駆動装置の第１実施形態を示す図である。図２は、図１に示す容量負荷駆動装置の動作タイミングを示す図である。
第１電源回路１０は、第１電源電位Ｖ１を生成する手段である。第１電源回路１０の出力端は、第１スイッチ回路１２を介して、容量負荷４０の一端に接続されている。
第２電源回路２０は、第１電源電位Ｖ１よりも低い第２電源電位Ｖ２を生成する手段である。第２電源回路２０の出力端は、第２スイッチ回路２２を介して、容量負荷４０の一端に接続されている。
第３電源回路３０は、第１電源電位Ｖ１と第２電源電位Ｖ２との間の電位レベルである第３電源電位Ｖｍを生成する手段である。第３電源回路３０の出力端は、第３スイッチ回路３２を介して、容量負荷４０の一端に接続されている。
第３電源電位Ｖｍは、第１電源電位Ｖ１と第２電源電位Ｖ２との間の電位レベルであればいかなる電位レベルであってもよいが、特に、第１電源電位Ｖ１との差（Ｖ１−Ｖｍ）と、第２電源電位Ｖ２との差（Ｖ２−Ｖｍ）が等しくなる電位レベル（以下、中点電位と呼ぶ）に設定されていることが望ましい。
なお、図１では、第３電源電位Ｖｍが上記中点電位に設定されている例を示している。すなわち、第１電源電位Ｖ１は、第３電源電位Ｖｍに所定の電位Ｖａを加えた電位レベル（Ｖｍ＋Ｖａ）であり、第２電源電位Ｖ２は、第３電源電位Ｖｍから所定の電位Ｖａを差し引いた電位レベル（Ｖｍ−Ｖａ）とされている。
また、第１、第２、第３電源回路１０、２０、３０は、それぞれ種々の回路構成要素を内蔵して成るが、本図では、その回路構成要素を代表してアンプ１１、２１、３１のみを示している。
容量負荷４０は、キャパシタンスＣｓを有している。この容量負荷４０の一端には、駆動電位Ｖｓが印加され、また他端には基準電位Ｖｃが印加される。この容量負荷４０は、例えば、液晶表示パネルの信号電極と走査電極とが交差する１つの点に位置する液晶セルである。容量負荷４０が液晶セルである場合には、駆動電位Ｖｓが信号電極に印加される信号電位に相当し、基準電位Ｖｃが走査電極に印加させる走査電位に相当する。
第１スイッチ回路１２は、第１電源回路１０の出力端と容量負荷４０の一端との間に接続されており、そのオン状態時に、容量負荷４０の一端電位を第１電源電位Ｖ１とする。第２スイッチ回路２２は、第２電源回路２０の出力端と容量負荷４０の一端との間に接続されており、そのオン状態時に、容量負荷４０の一端電位を第２電源電位Ｖ２とする。第３スイッチ回路３２は、第３電源回路３０の出力端と容量負荷４０の一端との間に接続されており、第１スイッチ回路１２、若しくは、第２スイッチ回路２２がオフ状態からオン状態に遷移されるに先立って、所定時間だけオン状態とされる。
図１において、第１スイッチ回路１２がオン状態であり、かつ、第２スイッチ回路２２及び第３スイッチ回路３２がオフ状態であるときには、駆動電位Ｖｓが第１電源電位Ｖ１と等しくなるように、容量負荷４０に電荷が充電される。一方、第２スイッチ回路２２がオン状態であり、かつ、第１スイッチ回路１２及び第３スイッチ回路３２がオフ状態であるときには、駆動電位Ｖｓが第２電源電位Ｖ２と等しくなるように、容量負荷４０の充電電荷が放電される。
図２に示されるように、時点ｔ１において、駆動電位Ｖｓが第２電源電位Ｖ２から第１電源電位Ｖ１に変遷される際には、まず、駆動電位Ｖｓが一旦第３電源電位Ｖｍに設定される期間＜ｉ＞（時点ｔ１〜時点ｔ２）が設けられている。この期間＜ｉ＞では、それまでオン状態とされていた第２スイッチ回路２２がオフ状態にされ、第３スイッチ回路３２のみがオン状態となっている。
これにより、駆動電位Ｖｓが第２電源電位Ｖ２から第３電源電位Ｖｍに変遷されるが、このとき、第３電源回路３０から容量負荷４０には、その電位差｜Ｖ２−Ｖｍ｜とキャパシタンスＣｓとに応じた電流Ｉｍ（∝｜Ｖ２−Ｖｍ｜×Ｃｓ）が流れることになる。
この電流Ｉｍは、実際には、スイッチ切替に際して生じる電位差（＝Ｖｍ−Ｖ２）と、第３電源回路３０や配線の抵抗値を含めた電流経路の抵抗値Ｒｓで決まる時定数τ（＝１／（Ｒｓ×Ｃｓ））によって変化する。
従って、上記期間＜ｉ＞の設定時間は、容量負荷４０が第３電源電位Ｖｍ（或いは実質的に第３電源電位Ｖｍとみなせる電位）に充電されるまでに要する時間、すなわち、電流Ｉｍがゼロ（或いは実質的にゼロとみなせる電流値）となるまでに要する時間よりも長く設定することが望ましい（第１事例）。このような設定を行うことより、その後、時点ｔ２にて、第１スイッチ回路１２をオン状態とする際に流れる電流Ｉ１の電流レベルは、理想的には、図１２に示す電流Ｉ（これを１００％とする）の半分（５０％）となる。従って、その電流レベルと電流経路中の抵抗成分に応じた駆動電位Ｖｓの変動（電位降下）、並びに、当該電流に応じた第１電源回路１０の消費電力について、いずれも５０％低減することが可能となる。
逆に、期間＜ｉ＞の設定時間が上記よりも短く設定され、電流Ｉｍが未だ流れている間に期間＜ｉ＞が終了する場合を想定する（第２事例）。この第２事例の場合には、容量負荷４０が第３電源電位Ｖｍまで充電される以前に、第１電源電位Ｖ１が印加されることになる。従って、第１電源回路１０からは、より大きな電流Ｉ１（図１２に示した電流Ｉに比べれば小さいが、上記に比べれば大きい電流）が流れる。すなわち、第２事例では、上記した駆動電位Ｖｓの変動、並びに、第１電源回路１０の消費電力について、いずれも５０〜１００％の間で低減することが可能となる。
一方、容量負荷４０が液晶表示装置の液晶セルである場合、上記期間＜ｉ＞が周期（例えば選択時間）Ｔに占める比率（ｉ／Ｔ）が大きくなるほど、その液晶セルの選択時に印加される印加電圧の実効値が低下する。例えば、上記期間＜ｉ＞が選択期間Ｔの１２８分の１であるとすると、印加電圧の実効値も約１２８分の１だけ低下する。
以上のことから、上記期間＜ｉ＞の設定時間は、消費電流の低減と、印加電圧の実効値低下とのトレードオフを考慮して決める必要がある。すなわち、消費電流の低減を優先するのであれば、上記期間＜ｉ＞の設定時間は、電流Ｉｍがゼロ（或いは実質的にゼロとみなせる電流値）になるまでに要する時間に設定すればよい。また、印加電圧の実効値低下を抑制すべきであれば、上記期間＜ｉ＞の設定時間は、上記期間＜ｉ＞の設定時間をゼロとした構成（すなわち図１２の従来構成）に比べて、その消費電流を８０％未満（或いはより好ましくは７０％未満）とするように設定してもよい。このような設定であっても、図１２の従来構成に比べれば消費電力を低減することが可能であり、また、その設定時間の短縮程度に応じて、液晶セルへの印加電圧の実効値を確保することも可能となる。
以上では、期間＜ｉ＞について説明したが、第１電源電位Ｖ１から第２電源電位Ｖ２に変遷される際の期間＜ｉｉｉ＞についても、上記と同様に適用することができる。
さて、時点ｔ２になると、それまでオン状態とされていた第３スイッチ回路３２がオフ状態とされ、第１スイッチ回路１２のみがオン状態になる。この状態が期間＜ｉｉ＞であり、第１スイッチ回路１２がオン状態とされたときに、駆動電位Ｖｓが第３電源電位Ｖｍから第１電源電位Ｖ１に変遷される。その際、第１電源回路１０から容量負荷４０には、その電位差｜Ｖ１−Ｖｍ｜とキャパシタンスＣｓとに応じた電流Ｉ１（∝｜Ｖ１−Ｖｍ｜×Ｃｓ）が流れることになる。
また、時点ｔ３において、駆動電位Ｖｓが第１電源電位Ｖ１から第２電源電位Ｖ２に変遷される際にも、期間＜ｉ＞と同様、まず、駆動電位Ｖｓが一旦第３電源電位Ｖｍに設定される期間＜ｉｉｉ＞（時点ｔ３〜時点ｔ４）が設けられている。この期間＜ｉｉｉ＞では、それまでオン状態とされていた第１スイッチ回路１２がオフ状態にされ、第３スイッチ回路３２のみがオン状態となっている。
これにより、駆動電位Ｖｓが第１電源電位Ｖ１から第３電源電位Ｖｍに変遷されるが、このとき、第３電源回路３０から容量負荷４０には、その電位差｜Ｖ１−Ｖｍ｜とキャパシタンスＣｓとに応じた電流Ｉｍ（∝｜Ｖ１−Ｖｍ｜×Ｃｓ）が流れることになる。
時点ｔ４になると、それまでオン状態とされていた第３スイッチ回路３２がオフ状態とされ、第２スイッチ回路２２のみがオン状態になる。この状態が期間＜ｉｖ＞であり、第２スイッチ回路２２がオン状態とされたときに、駆動電位Ｖｓが第３電源電位Ｖｍから第２電源電位Ｖ２に変遷される。その際、容量負荷４０から第２電源回路２０には、その電位差｜Ｖ２−Ｖｍ｜とキャパシタンスＣｓに応じた電流Ｉ２（∝｜Ｖ２−Ｖｍ｜×Ｃｓ）が流れることになる。
このように、本実施形態の容量負荷駆動装置では、容量負荷４０の一端に印加する駆動電位Ｖｓを、第１電源電位Ｖ１から第２電源電位Ｖ２へ、或いは、第２電源電位Ｖ２から第１電源電位Ｖ１へ切り替えるに際して、容量負荷４０の一端を第３電源回路３０の出力端に接続し、第１電源電位Ｖ１と第２電源電位Ｖ２との中間電位に当たる第３電源電位Ｖｍ（望ましくは中点電位）を所定時間だけ印加する構成とされている。
このような構成とすることにより、駆動電位Ｖｓの切替時に流れる電流Ｉｍ、Ｉ１、Ｉ２は、いずれも図１２の電流Ｉに比べて約半分に低減されているから、容量負荷４０の駆動電位Ｖｓの変動を低減することできる。また、液晶表示装置の液晶セルを駆動するものにおいては、駆動電位Ｖｓの変動が低減されることに伴い、その表示品位の低下を抑えることが可能となる。
図３は、本発明に係る容量負荷駆動装置の第２実施形態を示す図である。なお、図３に示す容量負荷駆動装置の動作タイミングは、先出の図２に示されている動作タイミングと同様である。
図３に示すように、本発明の第２実施形態においては、図１における第３電源回路３０に代えて、グランドラインを利用するものである。従って、第３電源電位Ｖｍは、グランド電位Ｖｇｎｄ（すなわちゼロ電位）となる。また、第１電源電位Ｖ１が正電位であるとすれば、第２電源電位Ｖ２は負電位となる。なお、第１電源電位Ｖ１と第２電源電位Ｖ２は、その正負が逆で、絶対値が等しいことが望ましい。
本実施形態における容量負荷駆動方法及び装置においても、その動作は図１、図２で説明した第１実施形態と同様であり、上記と同様の作用・効果を得ることが可能である。さらに、第３電源電位Ｖｍをグランド電位とする構成であるため、これを生成する第３電源回路が不要である。従って、先述の第１実施形態に比べて、装置の消費電力をより低減することが可能となる。
なお、図３において、第３スイッチ回路３２とグランドラインとの間には、抵抗（抵抗成分、抵抗器など）が入っていてもよい。
図４は、本発明に係る容量負荷駆動装置を搭載した液晶表示装置の一実施形態を示す図である。図５は、図４に示す容量負荷駆動装置の動作タイミングを示す図である。
液晶表示パネル１は、単純マトリクス方式（ＳＴＮ［Ｓｕｐｅｒ  Ｔｗｉｓｔｅｄ  Ｎｅｍａｔｉｃ］方式）等の液晶パネルであって、複数の信号電極と複数の走査電極との間にそれぞれ液晶セルを備えて成る。なお、各信号電極（信号ライン）と各走査電極（走査ライン）とは、互いに直交するように配置されている。
信号電極ドライバ２は、複数の電圧出力端子を有して成り、個々の電圧出力端子は、液晶表示パネル１の個々の信号電極と一対一に対応して接続されている。信号電極ドライバ２は、一本の走査電極の選択期間中、各信号電極の電位を、選択行の画素の表示データに応じて、第１電源電位Ｖ１若しくは第２電源電位Ｖ２である駆動電位Ｖｓに設定する。
走査電極ドライバ３は、複数の電圧出力端子を有して成り、個々の電圧出力端子は、液晶表示パネル１の個々の走査電極と一対一に対応して接続されている。走査電極ドライバ３は、１つの走査電極を選択しながら全ての走査電極を順次走査するように液晶表示パネル１を駆動する。通常、選択行（１本）の走査電極を所定の選択時電位に設定し、非選択行の走査電極の電位を非選択時電位に設定する。なお、選択された走査電極は、その正極性駆動時においては、第１の選択時電位である第４電源電位Ｖ４に設定され、負極性駆動時においては、第２の選択時電位である第５電源電位Ｖ５に設定される。一方、非選択とされた残りの走査電極は、非選択時電位である第３電源電位Ｖｍに設定される。なお、本実施形態において、第３電源電位Ｖｍはグランド電位（＝０［Ｖ］）とされている。
制御装置４は、表示データＤａｔａを信号電極ドライバ２に供給するとともに、液晶表示の制御に必要な各種の制御信号Ｃｏｎｔを信号電極ドライバ２及び走査電極ドライバ３に供給する。
電源装置５は、第１電源回路１０で生成される第１電源電位Ｖ１と、第２電源回路２０で生成される第２電源電位Ｖ２と、グランドラインの第３電源電位Ｖｍ（グランド電位Ｖｇｎｄ）とを、それぞれ液晶表示パネル１の信号電極に対する信号電極用電位群として、信号電極ドライバ２に供給する。なお、第２電源電位Ｖ２は、第１電源電位Ｖ１よりも低く設定されており、かつ、第３電源電位Ｖｍは、第１電源電位Ｖ１と第２電源電位Ｖ２との中間電位に当たる電位レベルに設定されている。本実施形態の場合、第３電源電位Ｖｍがグランド電位Ｖｇｎｄであるから、第１電源電位Ｖ１は正電位であり、第２電源電位Ｖ２は負電位である。また、第１電源電位Ｖ１及び第２電源電位Ｖ２は、その正負が逆で、その絶対値が互いに等しい電位レベルに設定するとよい。これらの信号電極用駆動電位群Ｖ１、Ｖ２、Ｖｍは、図３における第１〜第３電源電位Ｖ１、Ｖ２、Ｖｍと同様である。
信号電極ドライバ２の内部では、制御信号Ｃｏｎｔ及び表示データＤａｔａに従って、上記した信号電極用駆動電位群Ｖ１、Ｖ２、Ｖｍのいずれか一が駆動電位Ｖｓとして選択され、液晶表示パネル１の各信号電極に供給される。
また、電源装置５は、第４電源回路６０で生成される第４電源電位Ｖ４と、第５電源回路７０で生成される第５電源電位Ｖ５と、グランドラインの第３電源電位Ｖｍ（グランド電位Ｖｇｎｄ）とを、それぞれ液晶表示パネル１の走査電極に対する走査電極用電位群として、走査電極ドライバ３に供給する。なお、第５電源電位Ｖ５は、第４電源電位Ｖ４よりも低く設定されており、かつ、第３電源電位Ｖｍは、第４電源電位Ｖ４と第５電源電位Ｖ５との中間電位に当たる電位レベルに設定されている。本実施形態の場合、第３電源電位Ｖｍがグランド電位Ｖｇｎｄであるから、第４電源電位Ｖ４は正電位であり、第５電源電位Ｖ５は負電位である。また、第４電源電位Ｖ４及び第５電源電位Ｖ５は、その正負が逆で、その絶対値が互いに等しい電位レベルに設定するとよい。なお、ＳＴＮの場合、第１電源電位Ｖ１と第４電源電位Ｖ４の電圧値は、最適バイアス化法に基づき、Ｖ４＝２Ｖ１ないし１５Ｖ１とするのが良い。
走査電極ドライバ３の内部では、制御信号Ｃｏｎｔに従って、上記した走査電極用駆動電位群Ｖ４、Ｖ５、Ｖｍのいずれか一が基準電位（走査電位）Ｖｃとして選択され、液晶表示パネル１の各走査電極に供給される。
図５を参照しながら、上記構成から成る液晶表示装置の動作を説明する。図５の下段波形に示すように、液晶表示パネル１を構成する複数の走査電極のうち、選択された１つの走査電極には、所定の単位走査時間Ｔｃだけ、第４電源電位Ｖ４（正極性動作時）或いは第５電源電位Ｖ５（負極性動作時）が印加される。そして、単位走査時間Ｔｃが経過すると走査電極の選択切替が行われ、順次その他の走査電極に対して第４電源電位Ｖ４（或いは第５電源電位Ｖ５）が印加されていく。なお、非選択とされた走査電極は、全て非選択時電位である第３電源電圧Ｖｍに設定されている。
一方、液晶表示パネル１を構成する複数の信号電極には、それぞれ、制御信号Ｃｏｎｔ及び表示データＤａｔａに従って選択された信号電極用駆動電位群のいずれか一（第１電源電位Ｖ１、第２電源電位Ｖ２、第３電源電位Ｖｍ）が駆動電位Ｖｓとして供給される。
図５の上段波形は、１つの信号電極へ印加される駆動電位Ｖｓの一例を示している。なお、本図に示す駆動電位Ｖｓの変遷タイミング例は、図２で説明した動作タイミングと同様であるので、再度の説明は省略する。
上記の動作によって、各信号電極（信号ライン）に印加される駆動電位Ｖｓと、各走査電極（走査ライン）に印加される駆動電位Ｖｃとの差電圧が、両ラインの交差箇所に接続された液晶セル（容量負荷）の両端間に印加される。そして、液晶セルに印加される電圧に応じて、当該液晶セルにおける液晶表示のオン、オフ、及び、その時間が決定される。
先述の第１、第２実施形態と同様、上記の液晶表示装置においても、各信号電極に対する駆動電位Ｖｓの印加については、図５に示すように、容量負荷である液晶セルの信号電極の電位を、第１電源電位Ｖ１から第２電源電位Ｖ２へ、或いは、第２電源電位Ｖ２から第１電源電位Ｖ１へ切り替えるに際して、一旦、第３電源電位Ｖｍ（グランド電位Ｖｇｎｄ）に所定時間だけ接続する構成とされている。
上記したように、本実施形態の液晶表示装置においては、駆動電位Ｖｓの変遷途中に印加する中間電位（第３電源電位Ｖｍ）をグランド電位Ｖｇｎｄとするとともに、走査電極の非選択時電位についてもグランド電位Ｖｇｎｄとしている。
このような構成とすることにより、液晶セルへの充電時や放電時の電流を低減し、延いては、駆動電位Ｖｓの変動を低減することが可能となる。また、駆動電位Ｖｓの変動が低減されたことに伴い、その表示品位の低下を抑えることもできる。さらに、電源装置５を構成する電源回路としては、液晶表示パネル１で必要とされる６つの電源電位に対して、４つの電源回路（第１、第２、第４、第５電源回路１０、２０、６０、７０）を設けることで足りるようになる。従って、電源回路の数を抑えることができるので、充電時や放電時の電流を低減し、電源装置５の消費電力を低減することが可能となる。
ただし、電源装置５の構成は上記に限定されるものではなく、上記した中間電位や非選択時電位としてグランド電位Ｖｇｎｄ以外の所定電位を生成する電源回路を設けた構成としても構わない。
なお、図５でも示したように、液晶表示パネル１の各信号電極に印加される駆動電位Ｖｓは、液晶表示パネル１を構成する各液晶セルの表示階調を制御すべく、パルス幅変調方式（以下、ＰＷＭ［Ｐｕｌｓｅ  Ｗｉｄｔｈ  Ｍｏｄｕｌａｔｉｏｎ］方式と呼ぶ）で制御されるものである。
上記で説明してきた通り、本発明に係る容量負荷の駆動方法を採用すれば、液晶表示パネル１を構成する液晶セル（容量負荷）のオン／オフに際して、電源装置５（第１電源回路１０若しくは第２電源回路２０）から液晶セルに流れる消費電流を理想的には半減することができる（図６（ａ）、（ｂ）を参照）。
しかしながら、実際には、各種実条件により、図６（ｃ）に示す通り、液晶セル（容量負荷）をグランドラインに接続している期間内に、駆動電位Ｖｓが第３電源電圧Ｖｍ（＝Ｖｇｎｄ）に到達せず、上記の効果を十分に得られない場合がある。その理由について、図７を参照しながら説明する。
図７は、消費電流低減化の原理を説明するための図（コモンラインをＡＣ的にＧＮＤとみなした等価回路図）である。
本図に示すように、例えば、ある時点で第１電源電位Ｖ１が駆動電位Ｖｓとして印加されている容量負荷の一端をグランドライン（第３電源電位Ｖｍ＝Ｖｇｎｄ）に接続した場合、時間ｔ経過後における駆動電位Ｖｓ（ｔ）は、以下の（１）式となる。さらに、その時点から駆動電位Ｖｓ（ｔ）を第２電源電位Ｖ２（＝−Ｖ１）まで変遷するために必要となる電荷Ｑ（延いては、第２電源回路２０の消費電流）は、以下の（２）式となる。
Ｖｓ（ｔ）＝Ｖ１・ｅｘｐ｛−ｔ／（Ｃｓ・Ｒｖｍ）｝・・・（１）
│Ｑ│＝Ｃｓ・│Ｖ１│・［１＋ｅｘｐ｛−ｔ／（Ｃｓ・Ｒｖｍ）｝］・・・（２）
上記（２）式より、消費電流の低減効果が得にくくなる要因としては、（ａ）容量負荷（液晶セルの容量Ｃｓ）が大きいこと、（ｂ）グランドラインと容量負荷との開の抵抗Ｒｖｍが大きいこと、（ｃ）グランドラインへの接続時間（上記の時間ｔ）が短いこと、が考えられる。
しかしながら、要因（ａ）については、液晶表示パネル１によって決定されるものであり、要因（ｂ）については、外付けの条件で変動するものである。また、要因（ｃ）については、グランドラインへの接続時間を長く設定し過ぎると、先述したように、表示品位に悪影響を及ぼす懸念がある。そのため、要因（ａ）〜（ｃ）のパラメータ値には、自由度が少ない。
一方、上記とは異なる観点から、液晶表示パネル１はドットマトリクス構造であり、信号電極ドライバ２は、図８に示すように、Ｎ（≧２）系統のセグメント部Ｓｅｇ１〜ＳｅｇＮから構成され、かつ、各セグメント部Ｓｅｇ１〜ＳｅｇＮは、制御装置４からの表示データＤａｔａ（延いては、信号処理部２１から入力される各セグメント毎の表示データＤ１〜ＤＮ）に従って、個別に動作していることに着目する。
ここで、Ｎ系統全てのセグメント部Ｓｅｇ１〜ＳｅｇＮにつき、各々の入力電位が同電位（例えば第１電源電位Ｖ１）から第３電源電位Ｖｍ（＝Ｖｇｎｄ）へと一斉に変遷された場合、コモンラインをＡＣ的にＧＮＤとみなせば、その等価回路は、図９（ｃ）に示す形となる。なお、図９（ａ）、（ｂ）は、図９（ｃ）に示した等価回路の導出過程を説明するための図である。また、図９（ｂ）、（ｃ）で示した抵抗値Ｒｓｅｇ及び容量値Ｃｓｅｇは、各セグメント系統毎の合成抵抗値及び合成容量値（いずれの系統についても、その合成抵抗値及び合成容量値は同値であると仮定する）を示している。
従って、図９（ｃ）の等価回路、並びに、先出の（１）式を鑑みると、上記の一斉状態遷移時点から時間ｔ経過後における容量負荷（液晶セル）の一端電位Ｖｓｅｇ（ｔ）は、Ｖｓｅｇ（０）＝Ｖ１と仮定すれば、以下の（３）式で表されることになる。
Ｖｓｅｇ（ｔ）＝Ｖ１・ｅｘｐ［−ｔ／｛Ｃｓｅｇ・Ｎ・（Ｒｖｍ＋Ｒｓｅｇ／Ｎ）｝］
＝Ｖ１・ｅｘｐ［−ｔ／｛Ｃｓｅｇ・（Ｒｖｍ・Ｎ＋Ｒｓｅｇ）｝］・・・（３）
上記（３）式より、同電位から第３電源電位Ｖｍ（＝Ｖｇｎｄ）へと一斉接続されるセグメント部の本数Ｎが多いほど、その共通インピーダンスＲｖｍをＮ倍することになり、延いては、Ｖｓｅｇ（ｔ）がゼロに近付くのを妨げる結果となることが分かる。
なお、セグメント部Ｓｅｇ１〜ＳｅｇＮは、先述した通り、制御装置４からの表示データＤａｔａ（延いては、信号処理部２１から入力される各セグメント毎の表示データＤ１〜ＤＮ）に従って動作する。
そのため、全てのセグメント部Ｓｅｇ１〜ＳｅｇＮにつき、駆動電位ＶｓのＰＷＭ制御を一律的に前寄せ（或いは、後寄せ）で行うと、表示データＤａｔａによっては、最悪の場合、全てのセグメント部Ｓｅｇ１〜ＳｅｇＮにつき、同電位から第３電源電位Ｖｍ（＝Ｖｇｎｄ）への一斉接続が生じることもあり得る。
なお、上記した前寄せのＰＷＭ制御とは、単位走査時間Ｔｃの開始からその途中まで、所定の幅だけ所望の電源電位を印加することを言い、後寄せのＰＷＭ制御とは、これと逆に、単位走査時間Ｔｃの途中からその終了まで、所定の幅だけ所望の電源電位を印加することを言う。
そこで、本実施形態の液晶表示装置は、同電位から第３電源電位Ｖｍ（＝Ｖｇｎｄ）へと一斉接続されるセグメント部の本数を低減すべく、図１０に示す通り、隣り合うセグメント部毎（すなわち隣り合う液晶セル毎）に、上記の前寄せＰＷＭ制御或いは後寄せＰＷＭ制御を互いに逆相とした構成とされている。
より具体的に述べると、本実施形態の液晶表示装置において、Ｋ番目のセグメント部ＳｅｇＫでは、第１、第２電源電位Ｖ１、Ｖ２の印加期間が所定の基準期間（単位走査時間Ｔｃ）に対して、前寄せ／後寄せ／前寄せ／…、という具合に定められている一方、これに隣り合う（Ｋ−１）番目のセグメント部Ｓｅｇ（Ｋ−１）、及び、（Ｋ＋１）番目のセグメント部Ｓｅｇ（Ｋ＋１）では、上記と逆に、第１、第２電源電位Ｖ１、Ｖ２の印加期間が、後寄せ／前寄せ／後寄せ／…、という具合に定められている。
このような容量負荷駆動方法を用いた構成とすることにより、同電位から第３電源電位Ｖｍ（＝Ｖｇｎｄ）へと一斉接続されるセグメント部の本数は、最悪の場合でも、全セグメント本数Ｎの半分（Ｎ／２）となる。
また、上記の容量負荷駆動方法を用いた構成であれば、図１０の期間ｐで示すように、ある時点において、その入力電位が第１電源電位Ｖ１であるセグメント部と、第２電源電位Ｖ２（＝−Ｖ１）であるセグメント部とが、同時に第３電源電位Ｖｍ（＝Ｖｇｎｄ）へと同時接続されることもある（図１１を参照）。この場合、第１、第２電源回路は、互いにショートされた電流経路を介して電流を引き抜くことができるので、各個単独で第３電源電位Ｖｍに接続された場合に比べて、より一層消費電流を低減することが可能となる。なお、当該効果を高めるためには、本実施形態のように、隣り合うセグメント部について上記の前寄せＰＷＭ制御或いは後寄せＰＷＭ制御を互いに逆相とする構成が望ましい。
以上のように、本実施形態の液晶表示装置であれば、先述の実施形態（すなわち、全てのセグメント部Ｓｅｇ１〜ＳｅｇＮにつき、駆動電位ＶｓのＰＷＭ制御を一律的に前寄せ（或いは、後寄せ）で行っていた構成）に比べて、消費電流のワースト値をさらに低減することができ、延いては、駆動電位Ｖｓの瞬時的なドロップを抑えて、液晶表示パネル１の明度を改善することが可能となる。
また、本実施形態の液晶表示装置は、図１０に示す通り、各セグメント部につき、上記した前寄せＰＷＭ制御と後寄せＰＷＭ制御とが、前記基準期間（単位走査時間Ｔｃ）の経過毎に切り替えられる構成としている。このような容量負荷駆動方法を用いた構成であれば、一律的に前寄せＰＷＭ制御（或いは、後寄せＰＷＭ制御）を行うよりも、電流効率を高めることが可能となる。
なお、上記の実施形態では、本発明を液晶表示装置に適用した場合を例に挙げて説明を行ったが、本発明の適用対象はこれに限定されるものではなく、容量負荷を異なる電位で駆動する容量負荷駆動方法及び容量負荷駆動装置として、広く適用することができる。
また、本発明の構成は、上記実施形態のほか、発明の主旨を逸脱しない範囲で種々の変更を加えることが可能である。例えば、上記では、隣り合うセグメント部毎（すなわち、隣り合う液晶セル毎）に、上記の前寄せＰＷＭ制御或いは後寄せＰＷＭ制御を互いに逆相とした構成を例示して説明を行ったが、本発明の構成はこれに限定されるものではなく、少なくとも一の液晶セル（容量負荷）につき、その前寄せＰＷＭ制御或いは後寄せＰＷＭ制御を他の液晶セル（容量負荷）のそれとは逆相とするように制御してもよい。
【産業上の利用可能性】
【０００６】
本発明に係る容量負荷駆動方法、容量負荷駆動装置、および液晶表示装置は、大きなキャパシタンスを持つ電荷蓄積用キャパシタを設けることなく、充放電時の電流を小さくして、容量負荷への電源電位の変動を小さくするとともに、消費電力を低減することができる。したがって、液晶セルなど容量負荷を異なる電位で駆動するのに、好適である。
【図１】
2006075768.tif 000002
【図２】
2006075768.tif 000003
【図３】
2006075768.tif 000004
【図４】
2006075768.tif 000005
【図５】
2006075768.tif 000006
【図６】
2006075768.tif 000007
【図７】
2006075768.tif 000008
【図８】
2006075768.tif 000009
【図９】
2006075768.tif 000010
【図１０】
2006075768.tif 000011
【図１１】
2006075768.tif 000012
【図１２】
2006075768.tif 000013
【図１３】
2006075768.tif 000014
【国際調査報告】
2006075768.tif 000015
2006075768.tif 000016